(57)【特許請求の範囲】
【請求項１】
電話機と、前記電話機のオフフックを検出するオフフック検出部と、前記オフフック検出部を介して前記電話機に擬似呼出信号を供給する擬似呼出信号発生部と、前記擬似呼出信号発生部に電力を供給する第１の電源、および第１の電源電圧よりも低い電圧の第２の電源からなる電源部と、前記電話機とオフフック検出部を前記擬似呼出信号発生部と電話回線とに切り換えて接続する切換部と、前記第１の電源を遮断し第２の電源の電力を前記擬似呼出信号発生部に供給するように制御する制御部とを有し、前記切換部を制御して前記電話機とオフフック検出部を前記擬似呼出信号発生部側に接続を切り換えて待機状態とすると共に、前記第１の電源を遮断した省エネルギーモード時には、前記電話機とオフフック検出部に前記擬似呼出信号発生部を介して前記第２の電源の電力を供給してなることを特徴とする、ファクシミリ装置。
【請求項２】
前記擬似呼出信号発生部に接続されて電力を供給する第１の電源と第２の電源の出力側に、それぞれダイオ−ドを擬似呼出信号発生部に対して順方向に接続し、前記第１の電源と第２の電源の一方の電源が動作時に、一方の電源から他方の電源への電流の流入を阻止することを特徴とする、請求項１に記載のファクシミリ装置。
【請求項３】
前記電話機とオフフック検出部を擬似呼出信号発生部側に接続を切り換えた待機状態とする切換部の制御を、ダイヤルインモ−ドの設定時、またはファクシミリ通信モ−ドを通話モ−ドよりも優先する設定とするときに行なうことを特徴とする、請求項１または請求項２に記載のファクシミリ装置。
【請求項４】
前記擬似呼出信号発生部は、ＤＣ／ＤＣコンバ−タと、ＤＣ／ＤＣコンバ−タからの出力信号を変調し、擬似呼出信号に変換する鳴動回路とを備えたことを特徴とする、請求項１ないし請求項３のいずれかに記載のファクシミリ装置。
【発明の詳細な説明】
【０００１】
【発明の属する技術分野】
本発明は、省エネルギ−モ−ドが設定されている場合でも電話機のオフフックを支障なく検出できる構成としたファクシミリ装置に関する。
【０００２】
【従来の技術】
電話機を付設して、相手先の通信端末装置との間で通話とファクシミリ通信ができる構成のファクシミリ装置が使用されている。この電話機は、ファクシミリ装置に外付けとするものを使用することもある。このような電話機を付設したファクシミリ装置においては、電話機を電話回線に接続した状態で待機している。待機状態で受話器を上げてオフフックとすると、電話回線より回線電流が電話機に流れ、フォトカプラが動作してオフフックを検出している。
【０００３】
ところで、ファクシミリ装置に付設した電話機をダイヤルイン回線で使用する場合がある。このように、電話機にダイヤルイン機能を設定している場合には、電話機を電話回線から切り離した状態で待機させている。また、ファクシミリ装置の動作モ−ドを、ファクシミリ通信／通話モ−ド、すなわち、ＦＡＸ／ＴＥＬモ−ドに設定して、ファクシミリ通信を通話よりも優先させる設定としている場合にも、電話機を電話回線から切り離した状態で待機させている。
【０００４】
このように、電話機を電話回線から切り離した状態で待機させている場合には、電話機のオフフックは、ＤＣ／ＤＣコンバ−タからの出力電流を電話機に供給して検出している。ＤＣ／ＤＣコンバ−タは、２４Ｖの直流電源から供給される電圧を変換して出力電圧を擬似ベルの鳴動回路に印加している。
【０００５】
相手先から通話の発呼があると、ＤＣ／ＤＣコンバ−タの出力側に接続された擬似ベルの鳴動回路が動作して、相手先からの発呼を報知している。電話機を電話回線から切り離した状態で待機させている場合には、このような擬似ベルの鳴動回路を動作させるために用いるＤＣ／ＤＣコンバ−タの出力電流を、電話機のオフフック検出にも用いている。
【０００６】
最近では、環境への配慮やエネルギ−資源の節約の観点から、ファクシミリ装置を省エネルギ−モ−ドで動作させることも行われている。例えば、スキャナやプリンタなどの機構部の駆動モ−タに対する電力供給を、ファクシミリ装置の動作待機中には遮断して電力消費を低減させている。
【０００７】
スキャナやプリンタなどの機構部の駆動モ−タに対しては、前記２４Ｖの直流電源から電力供給がなされている。このため、ファクシミリ装置を省エネルギ−モ−ドで動作させる場合には、ＤＣ／ＤＣコンバ−タへの２４Ｖの直流電源からの電力供給は遮断されている。
【０００８】
前記のように、ファクシミリ装置に付設した電話機をダイヤルイン機能を設定して待機させる場合や、ＦＡＸ／ＴＥＬモ−ドに設定している場合には、電話機を電話回線から切り離した状態で待機させている。このような状態にあるときに、ファクシミリ装置を省エネルギ−モ−ドで動作させると、ＤＣ／ＤＣコンバ−タへの２４Ｖの直流電源からの電力供給は遮断されてしまうので、電話機のオフフックは検出されないことになる。
【０００９】
【発明が解決しようとする課題】
このように、電話機のオフフックが検出できないと、ファクシミリ装置に付設した電話機から相手先に発呼する際に、当該電話機を電話回線に接続することができず、相手先と通話できないという問題があった。
【００１０】
本発明は、かかる現状に鑑みてなされたものであり、省エネルギ−モ−ドが設定されている場合でも電話機のオフフックを支障なく検出できる構成としたファクシミリ装置の提供を目的とする。
【００１１】
【課題を解決するための手段】
上記目的は、請求項１に係る発明において、ファクシミリ装置を、電話機と、前記電話機のオフフックを検出するオフフック検出部と、前記オフフック検出部を介して前記電話機に擬似呼出信号を供給する擬似呼出信号発生部と、前記擬似呼出信号発生部に電力を供給する第１の電源、および第１の電源電圧よりも低い電圧の第２の電源からなる電源部と、前記電話機とオフフック検出部を前記擬似呼出信号発生部と電話回線とに切り換えて接続する切換部と、前記第１の電源を遮断し第２の電源の電力を前記擬似呼出信号発生部に供給するように制御する制御部とを有し、前記切換部を制御して前記電話機とオフフック検出部を前記擬似呼出信号発生部側に接続を切り換えて待機状態とすると共に、前記第１の電源を遮断した省エネルギーモード時には、前記電話機とオフフック検出部に前記擬似呼出信号発生部を介して前記第２の電源の電力を供給してなる構成とすることによって達成される。
【００１２】
請求項２に係る発明は、請求項１に記載のファクシミリ装置において、
前記擬似呼出信号発生部に接続されて電力を供給する第１の電源と第２の電源の出力側に、それぞれダイオ−ドを擬似呼出信号発生部に対して順方向に接続し、前記第１の電源と第２の電源の一方の電源が動作時に、一方の電源から他方の電源への電流の流入を阻止することを特徴としている。
【００１３】
請求項３に係る発明は、請求項１または請求項２に記載のファクシミリ装置において、前記電話機とオフフック検出部を擬似呼出信号発生部側に接続を切り換えた待機状態とする切換部の制御を、ダイヤルインモ−ドの設定時、またはファクシミリ通信モ−ドを通話モ−ドよりも優先する設定とするときに行なうことを特徴としている。
【００１４】
請求項４に係る発明は、請求項１ないし請求項３のいずれかに記載のファクシミリ装置において、前記擬似呼出信号発生部は、ＤＣ／ＤＣコンバ−タと、ＤＣ／ＤＣコンバ−タからの出力信号を変調し、擬似呼出信号に変換する鳴動回路とを備えたことを特徴としている。
【００１５】
請求項１に係る発明によれば、電話機が待機状態とされているときに、省エネルギ−モ−ドが設定されて第１の電源が遮断されると、第２の電源の電力を擬似呼出信号発生部に供給している。このため、省エネルギ−モ−ドが設定されている場合でも電話機のオフフックを支障なく検出でき、電話機を確実に電話回線に接続することができる。
【００１６】
請求項２に係る発明によれば、第１の電源と第２の電源の出力側に、それぞれダイオ−ドを擬似呼出信号発生部に対して順方向に接続している。このため、第１の電源と第２の電源の一方の電源が動作時に、一方の電源から他方の電源への電流の流入を阻止するので、電源部の損傷を防止することができる。
【００１７】
請求項３に係る発明によれば、ダイヤルインモ−ドの設定時、またはファクシミリ通信を通話モ−ドよりも優先する設定として、電話機を電話回線から切り離した状態で待機させる場合に、電話機のオフフックを支障なく検出できる。
【００１８】
請求項４に係る発明によれば、擬似呼出信号発生部は、ＤＣ／ＤＣコンバ−タと、ＤＣ／ＤＣコンバ−タからの出力信号を変調し、擬似呼出信号に変換する鳴動回路とを備えている。このため、ＤＣ／ＤＣコンバ−タから出力される任意の電圧を変調して鳴動回路を動作させることができる。また、省エネルギ−モ−ドが設定されているために、擬似呼出信号発生部に第２の電源から低い電圧が入力された場合でも、ＤＣ／ＤＣコンバ−タの特性を適宜設定してオフフック検出に必要な程度の出力電圧をオフフック検出部に供給することができる。
【００１９】
【発明の実施の形態】
以下、本発明の実施の形態について図面を参照して説明する。オフフックの検出は、前記のようにフォトカプラに流れる電流によってなされている。フォトカプラは、微少な電流で動作させることができる。すなわち、フォトカプラは、前記のようにＤＣ／ＤＣコンバ−タに２４Ｖの直流電源の電圧を印加して得られる出力電流よりも少ない電流で動作させることができる。
【００２０】
本発明は、このような知見に基づき、省エネルギ−モ−ドが設定されている場合には、２４Ｖの直流電源（第１の電源）は遮断されるが、２４Ｖの直流電源よりも低電圧の直流電源（第２の電源）は動作していることに着目して、この第２の電源の電流により電話機のオフフックを検出することを基本的な構成とするものである。すなわち、省エネルギ−モ−ドが設定されているために、ＤＣ／ＤＣコンバ−タに２４Ｖの直流電源から供給される電圧が入力されていない場合には、ＤＣ／ＤＣコンバ−タに第２の電源からの電圧を印加して、このときの出力電流で電話機のオフフックを検出している。
【００２１】
図３は本発明のファクシミリ装置の制御装置を示す概略のブロック図である。次にこのブロック図について説明する。図３において、ファクシミリ装置は通話機能とファクシミリ通信機能とを有している。ファクシミリ装置の制御装置１は、各種信号やデ−タを処理するための制御部２を有している。この制御部２は、ＭＰＵ（超小型演算処理装置）により構成されている。
【００２２】
制御部２には、モデム３、ＲＯＭ４、ＲＡＭ５、画像メモリ６、操作部７、コ−デック（符号化・復号部）８、スキャナ９、プリンタ１０がシステムバス１１を介して接続されている。モデム３は、回線制御部と接続されており、相手先のファクシミリ装置等の通信端末装置との間で送受信されるデ−タを変調・復調する。回線制御部は外部回線と接続され、相手先のダイヤル番号に対応したダイヤルパルスの送出、及び呼出信号（Ｃ１）の着信を検出する。
【００２３】
回線制御部は、後述のように、ＣＭＬリレ−１３、呼出信号検出回路１５、ＤＣ／ＤＣコンバ−タ２０、鳴動回路２１、接点切り換えリレ−２２、オフフック（ＯＨ）検出回路２３により構成されている。このように、モデム３と回線制御部とはファクシミリ通信部を構成している。ＲＯＭ４にはファクシミリ装置の各種動作に必要なデ−タやプログラムが格納される。ＲＡＭ５には、予約送信またはメモリ受信における管理デ−タが格納される。画像メモリ６には、読み取り原稿の画像デ−タや相手先から受信した画像デ−タを格納する。
【００２４】
操作部７は、ファクシミリ通信の開始を指示するスタ−トキ−、ストップキ−、テンキ−その他の操作キ−からなり、ファクシミリ装置の各種動作、停止を指示する。また、画像デ−タの倍率を拡大、縮小する変倍率設定部が設けられている。コ−デック８は、読み取り原稿の画像デ−タを所定の符号化方式で符号化し、また、受信した画像デ−タを復号する。
【００２５】
スキャナ９は原稿の画像を読み取る。読み取られた画像デ−タは、スキャナ９に設けた画像処理回路でシェ−デング補正により信号レベルのばらつきを補正する。また、画像処理回路は、画像品質を良好にするためのγ（ガンマ）補正回路、スム−ジング回路、エッジ強調回路等が設けられており、画像デ−タに所定の処理を施してから、２値化処理回路で２値化処理する。プリンタ１０は画像を記録紙にプリントする。画像のプリントは、記録紙の両面に行なう場合と記録紙の片面に行なう場合がある。
【００２６】
電話回線１４は、ライントランス１２を介してモデム３と接続されている。１３は、モデム３と電話回線１４との接続を断続するＣＭＬリレ−で、ＭＰＵ２からの制御信号で動作する。１５は呼出信号検出回路で、相手先からの呼出信号を検出すると、この検出信号をＭＰＵ２に入力する。
【００２７】
１６は５Ｖ電源、１７は１２Ｖ電源、１８は２４Ｖ電源である。これらの５Ｖ電源１６、１２Ｖ電源１７、２４Ｖ電源１８は、いずれも直流電源で構成されている。５Ｖ電源１６は、ＲＯＭ４、ＲＡＭ５、画像メモリ６、操作部７、コ−デック（符号化・復号部）８を動作させるための電源で常時オンにされている。１２Ｖ電源１７は常時オンにされている。２４Ｖ電源１８は、スキャナ９、プリンタ１０の機構部の駆動モ−タを動作させる電源である。省エネルギ−モ−ドでファクシミリ装置を待機させる場合には、２４Ｖ電源１８はオフにされる。これらの５Ｖ電源１６、１２Ｖ電源１７、２４Ｖ電源１８は、電源部を構成している。
【００２８】
２０はＤＣ／ＤＣコンバ−タで、ダイオ−ド回路１９を介して１２Ｖ電源１７と、２４Ｖ電源１８に接続される。ダイオ−ド回路１９には、ダイオ−ドｄａ、ｄｂがＤＣ／ＤＣコンバ−タ２０に対して順方向に接続されている。ダイオ−ドｄａは、２４Ｖ電源１８がオフになっているとき、１２Ｖ電源１７の電流が２４Ｖ電源１８に逆流しないように機能している。また、ダイオ−ドｄｂは、２４Ｖ電源１８の電流が１２Ｖ電源１７に逆流しないように機能している。
【００２９】
２１は擬似ベルの鳴動回路で、ＤＣ／ＤＣコンバ−タ２０からの出力電圧を変調して、ファクシミリ装置に付設される電話機２４のリンガ−を鳴動させる。このように、鳴動回路は２１はＤＣ／ＤＣコンバ−タ２０からの出力電圧を変調し、擬似呼出信号に変換する機能を有している。ＤＣ／ＤＣコンバ−タ２０、鳴動回路２１は擬似呼出信号発生部を構成している。
【００３０】
このため、ＤＣ／ＤＣコンバ−タ２０から出力される任意の電圧を変調して鳴動回路２１を動作させることができる。また、省エネルギ−モ−ドが設定されているために、擬似呼出信号発生部に１２Ｖ電源１７から低い電圧が入力された場合でも、ＤＣ／ＤＣコンバ−タ２０の特性を適宜設定してオフフック検出に必要な程度の出力電圧をオフフック検出回路２３に供給することができる。
【００３１】
２２は、ＭＰＵ２からの制御信号で接点ａ1、ａ2と接点ｂ1、ｂ2に接続を切り換える接点切り換えリレ−である。接点切り換えリレ−２２は、オフのときに接点ａ1、ａ2側に切り換わり電話機２４を電話回線１４に接続する。また、接点切り換えリレ−２２がオンのときに接点ｂ1、ｂ2側に切り換わり、電話機２４を鳴動回路２１に接続する。このように、接点切り換えリレ−２２は、電話機２４を電話回線１４、または鳴動回路２１に切り換えて接続する切換部として機能している。２３は電話機２４のオフフック（ＯＨ）を検出するオフフック検出回路で、検出信号はＭＰＵ２に入力される。
【００３２】
図１は、本発明の基本的構成を示す概略のブロック図で、図３の主要な構成を部分的に示している。図１において、常時オンとなっている１２Ｖ電源１７の電圧をＶｂ、節電時（省エネルギ−モ−ド）にオフになる２４Ｖ電源１８の電圧をＶａとする。また、接点切り換えリレ−２２のａ接点は、図３のａ1、ａ2接点を含み、接点切り換えリレ−２２のｂ接点は、図３のｂ1、ｂ2接点を含んでいる。前記のように、１２Ｖ電源１７または２４Ｖ電源１８のいずれかの電圧がＤＣ／ＤＣコンバ−タ２０に印加されている。
【００３３】
このため、接点切り換えリレ−２２の接触子２２ａがｂ側の接点に接触しているときには、ＤＣ／ＤＣコンバ−タ２０の出力電流でオフフック（ＯＨ）検出回路２３が動作する。このため、電話機を電話回線から切り離した状態で待機させているときに、省エネルギ−モ−ドが設定されたとしても、電話機のオフフックを確実に検出することができる。接点切り換えリレ−２２の接触子２２ａがａ側の接点に接触しているときには、電話機２４は電話回線１４と接続され、相手先と通話が可能となる。ファクシミリ（ＦＡＸ）制御装置１は、前記のように、ライントランス１２、ＣＭＬリレ−１３を介して電話回線１４と接続される。
【００３４】
図２は、オフフック検出回路２３に印加される電圧を示す特性図である。図２において、Ｔａは、擬似ベル鳴動時電圧Ｖａ’がオフフック検出回路２３に印加される期間である。この擬似ベル鳴動時電圧Ｖａ’は、節電時にオフとなる２４Ｖ電源１８の電圧ＶａがＤＣ／ＤＣコンバ−タ２０に印加されたときの出力電圧である。すなわち、電圧Ｖａ’は、擬似ベルを鳴動させるために１６Ｈｚに変調された擬似呼出信号として鳴動回路から出力される。
【００３５】
また、Ｔｂは、節電時（省エネルギ−モ−ド時）にオフフック検出回路２３においてＶｂ’の電圧が印加される期間である。この電圧Ｖｂ’は、１２Ｖ電源１７の電圧ＶｂがＤＣ／ＤＣコンバ−タ２０に印加されたときの出力電圧である。Ｖｂ’は、Ｖａ’よりも低い電圧であるために、擬似ベルを鳴動させることはできないが、フォトカプラを動作させて、オフフックの検出を可能にしている。
【００３６】
図４、図５は、本発明の実施形態に係る省エネルギ−モ−ド時のダイヤルイン着信の処理手順を示すフロ−チャ−トである。次に、このフロ−チャ−トについて説明する。
【００３７】
（１）ステップＳ１で処理プログラムを開始し、ステップＳ２の処理で呼出信号検出回路１５により呼出信号検出かどうかを判定する。この判定結果がＮＯ（以下、Ｎと略記する。）であれば、ステップＳ２の待機状態となる。ステップＳ２の判定結果がＹＥＳ（以下、Ｙと略記する。）になると、ステップＳ３の処理に移行して２４Ｖ電源１８をオンとする。また、ＣＭＬリレ−１３をオンにして電話回線１４をファクシミリ装置に接続する。
【００３８】
（２）次に、ステップＳ４の処理でＤＴＭＦ信号（Ｄｕａｌ  Ｔｏｎｅ      Ｍｕｌｔｉ  Ｆｒｅｑｕｅｎｃｙ）を受信し、電話番号にデコ−ドする。続いて、ステップＳ５の処理で電話番号はファクシミリ用電話番号かどうかを判定する。この判定結果がＹであれば、ステップＳ６の処理に移行してＣＭＬリレ−１３を一旦オフにしてから、ステップＳ７の処理でＣＭＬリレ−１３をオンにする。
【００３９】
（３）次に、ステップＳ８の処理でファクシミリ通信手順のサブル−チン処理を行なう。このサブル−チン処理が終了すると、続いてステップＳ９の処理でＣＭＬリレ−１３をオフにして、ファクシミリ装置を電話回線１４から切断し、ステップＳ１０で処理プログラムを終了する。
【００４０】
（４）前記ステップＳ５の処理において、呼び出された電話番号がファクシミリ用電話番号ではないため判定結果がＮになると、ステップＳ１１の処理でＣＭＬリレ−１３をオフにする。次に、ステップＳ１２の処理で、擬似ベルの鳴動回路２１を動作させて擬似呼出音を発生させる。
【００４１】
（５）続いて、ステップＳ１３の処理で、オフフック検出回路２３でオフフックを検出したかどうかを判定する。この判定結果がＹであれば、ステップＳ１４の処理に移行して接点切り換えリレ−２０の接点をｂからａに切り替える。ステップＳ１４の処理によって、相手先との通話が可能となる。
【００４２】
（６）次に、ステップＳ１５の処理でファクシミリのスタ−トキ−がオンかどうかを判定する。この判定結果がＮであれば、ステップＳ１６の処理でオフフック検出回路２３でオンフックを検出したかどうかを判定する。この判定結果がＮであればステップＳ１５の処理に戻り、ステップＳ１５、ステップＳ１６のル−プ処理を繰り返す。
【００４３】
（７）ステップＳ１６の判定結果がＹであれば、通話が終了して受話器が置かれたものと判断して、ステップＳ１７の処理で接点切り換えリレ−２０の接点をａからｂに切り替える。ステップＳ１７の処理でファクシミリ装置は電話回線１４から切断され、ステップＳ１０で処理プログラムを終了する。
【００４４】
（８）前記ステップＳ１３の処理で、オフフック検出回路２３でオフフックを検出しないため、その判定結果がＮになると、ステップＳ１８の処理で擬似呼出音鳴動のタイムアウトかどうかを判定する。この判定結果がＮであれば、ステップＳ１３の処理に戻る。タイムアウトとなってステップＳ１８の判定結果がＹになると、ステップＳ１９の処理で擬似呼出音を停止させ、前記ステップＳ１７の処理に移行して接点切り換えリレ−２０の接点をａからｂに切り替える。
【００４５】
（９）前記ステップＳ１５の処理で、ファクシミリスタ−トキ−オンで判定結果がＹになると、ステップＳ２０の処理に移行して、ＣＭＬリレ−１３をオン、接点切り換えリレ−２０の接点をａからｂに切り替える。このため、ファクシミリ装置が電話回線１４に接続されてファクシミリ通信が可能となり、ステップＳ８のファクシミリ通信手順のサブル−チン処理に移行する。また、電話機２４は電話回線１４から遮断される。なお、この後２４Ｖ電源１８がオフにされ、省エネルギ−モ−ドに復帰する。
【００４６】
図６は、省エネルギ−モ−ド時の通話処理の処理手順を示すフロ−チャ−トである。次に、このフロ−チャ−トについて説明する。
【００４７】
（１）ステップＳ３１で処理プログラムを開始し、ステップＳ３２の処理でオフフック検出回路２３でオフフックを検出したかどうかを判定する。この判定結果がＮであれば受話器が上げられていないことになるので、ステップＳ３２の待機状態となる。ステップＳ３２の判定結果がＹであれば、ステップＳ３３の処理に移行する。
【００４８】
（２）ステップＳ３３の処理では、接点切り換えリレ−２０の接点をｂからａに切り換え、相手先との通話が可能な状態となる。次に、ステップＳ３４の処理でオフフック検出回路２３でオンフックを検出したかどうかを判定する。この判定結果がＮであればステップＳ３５の処理でファクシミリのスタ−トキ−がオンかどうかを判定する。この判定結果がＮであれば、ステップＳ３４の処理に戻り、ステップＳ３４、ステップＳ３５のル−プ処理を繰り返す。
【００４９】
（３）ステップＳ３５の判定結果がＹになると、ファクシミリ装置を動作させるために省エネルギ−モ−ドは解除されて、ステップＳ３６の処理で２４Ｖ電源１８がオンとなる。次に、ステップＳ３７の処理でＣＭＬリレ−１３をオンにして、接点切り換えリレ−２０の接点をｂからａに切り替える。
【００５０】
（４）続いて、ステップＳ３８の処理でファクシミリ通信手順のサブル−チン処理を行なってから、ステップＳ３９の処理でＣＭＬリレ−１３をオフにする。また、図示しないが２４Ｖ電源１８もオフにする。ステップＳ３９の処理でファクシミリ装置は電話回線１４から切断され、ステップＳ４１で処理プログラムを終了する。
【００５１】
（５）前記ステップＳ３４の処理で、オフフック検出回路２３でオンフックを検出してその判定結果がＹになると、相手先との通話が終了して受話器が置かれたものと判断する。このため、ステップＳ４０の処理で、接点切り換えリレ−２０の接点をａからｂに切り換え、電話機２４を電話回線１４から切断する。その後、ステップＳ４１で処理プログラムを終了する。
【００５２】
【発明の効果】
以上説明したように、請求項１に係る発明によれば、電話機が待機状態とされているときに、省エネルギ−モ−ドが設定されて第１の電源が遮断されると、第２電源の電力を擬似呼出信号発生部に供給している。このため、省エネルギ−モ−ドが設定されている場合でも電話機のオフフックを支障なく検出でき、電話機を確実に電話回線に接続することができる。
【００５３】
請求項２に係る発明によれば、第１の電源と第２の電源の出力側に、それぞれダイオ−ドを擬似呼出信号発生部に対して順方向に接続している。このため、第１の電源と第２の電源の一方の電源が動作時に、一方の電源から他方の電源への電流の流入を阻止するので、電源部の損傷を防止することができる。
【００５４】
請求項３に係る発明によれば、ダイヤルインモ−ドの設定時、またはファクシミリ通信を通話モ−ドよりも優先する設定として、電話機を電話回線から切り離した状態で待機させる場合に、電話機のオフフックを支障なく検出できる。
【００５５】
請求項４に係る発明によれば、擬似呼出信号発生部は、ＤＣ／ＤＣコンバ−タと、ＤＣ／ＤＣコンバ−タからの出力信号を変調し、擬似呼出信号に変換する鳴動回路とを備えている。このため、ＤＣ／ＤＣコンバ−タから出力される任意の電圧を変調して鳴動回路を動作させることができる。また、省エネルギ−モ−ドが設定されているために、擬似呼出信号発生部に第２の電源から低い電圧が入力された場合でも、ＤＣ／ＤＣコンバ−タの特性を適宜設定してオフフック検出に必要な程度の出力電圧をオフフック検出部に供給することができる。
【図面の簡単な説明】
【図１】本発明の実施形態に係るファクシミリ装置の主要部を示すブロック図である。
【図２】オフフック検出回路に印加される電圧を示す特性図である。
【図３】本発明の実施の形態に係るファクシミリ装置の制御装置を示すブロック図である。
【図４】本発明の概略の処理手順を示すフロ−チャ−トである。
【図５】本発明の概略の処理手順を示すフロ−チャ−トである。
【図６】本発明の概略の処理手順を示すフロ−チャ−トである。
【符号の説明】
１    制御装置
２    制御部（ＭＰＵ）
３    モデム
７    操作部
８    コ−デック
９    スキャナ
１０    プリンタ
１３    ＣＭＬリレ−
１４    電話回線
１５    呼出信号検出回路
１６    ５Ｖ電源
１７    １２Ｖ電源
１８    ２４Ｖ電源
１９    ダイオ−ド回路
２０    ＤＣ／ＤＣコンバ−タ
２１    擬似ベルの鳴動回路
２２    接点切り換えリレ−
２３    オフフック（ＯＨ）検出回路
２４    電話機
【図１】
0003731498.tif 000002
【図２】
0003731498.tif 000003
【図３】
0003731498.tif 000004
【図４】
0003731498.tif 000005
【図５】
0003731498.tif 000006
【図６】
0003731498.tif 000007